(57)【要約】【課題】撮影画像を用いた診断において、撮影時の重力方向を判別可能にする。【解決手段】Ｘ線撮影システム１は、Ｘ線を照射するＸ線発部１０４と、Ｘ線発生部１０４により発生した放射線を検出し、電気信号に変換するＸ線受像部１０５及び固体撮像素子１０５１と、Ｘ線受像部１０５による放射線の検出時における、該Ｘ線受像部１０５にかかる重力方向を検出する重力方向検出部１０５０とＸ線受像部１０５で得られた電気信号に基づいて画像データを生成するＸ線撮影システム制御部１０１とを有する。そして、Ｘ線撮影システム制御部１０１は、生成された画像データに、重力方向検出部１０５０で検出された重力方向を示す重力情報を付加して診断用画像データとする。【選択図】  図１
2007037837.tif 000002
【特許請求の範囲】
【請求項１】
放射線を照射する放射線発生手段と、
前記放射線発生手段により発生した放射線を検出し、電気信号に変換する放射線検出手段と、
前記放射線検出手段による放射線の検出時における、該放射線検出手段にかかる重力方向を検出する重力方向検出手段と、
前記放射線検出手段で得られた電気信号に基づいて画像データを生成する生成手段と、
前記生成手段で生成された画像データに、前記重力方向検出手段で検出された重力方向を示す重力情報を付加する付加手段とを備えることを特徴とする放射線撮影システム。
【請求項２】
前記付加手段は、前記重力情報を付帯情報として前記画像データに付加することを特徴とする請求項１に記載の放射線撮影システム。
【請求項３】
前記付加手段は、前記重力情報に基づいて重力方向を表す画像を生成し、これを前記画像データによって表される画像の所定位置へ重畳することを特徴とする請求項１に記載の放射線撮影システム。
【請求項４】
放射線発生手段により発生した放射線を検出し、電気信号に変換する放射線検出手段から電気信号を受信する第１受信手段と、
前記放射線検出手段による放射線の検出時における、前記放射線検出手段にかかる重力方向を検出する重力方向検出手段から該重力方向を示す重力情報を受信する第２受信手段と、
前記第１受信手段で受信された電気信号に基づいて画像データを生成する生成手段と、
前記生成手段で生成された画像データに、前記第２受信手段で受信した重力情報を付加する付加手段とを備えることを特徴とする放射線撮影制御装置。
【請求項５】
画像データを受信する受信手段と、
前記受信手段によって受信された画像データの付帯情報を読み出し、該付帯情報から撮影時の重力方向を表す重力情報を取得手段と、
前記取得手段で取得された重力情報を前記画像データとともに表示する表示手段とを備えることを特徴とする画像表示装置。
【請求項６】
前記表示手段は、前記取得手段で取得された重力情報に基づいて重力方向を表す画像を生成し、これを前記画像データとともに表示することを特徴とする請求項５に記載の画像表示装置。
【請求項７】
放射線発生手段により発生した放射線を検出し、電気信号に変換する放射線検出手段から電気信号を取得し、該電気信号に基づいて画像データを生成する生成工程と、
前記放射線検出手段にかかる重力方向を検出する重力方向検出手段から、前記放射線検出手段による放射線の検出時における重力方向を示す重力情報を取得する取得工程と、
前記生成工程で生成された画像データに、前記取得工程取得した重力情報を付加する付加工程とを備えることを特徴とする放射線撮影制御方法。
【請求項８】
前記付加工程は、前記重力情報を付帯情報として前記画像データに付加することを特徴とする請求項７に記載の放射線撮影制御方法。
【請求項９】
前記付加工程は、前記重力情報に基づいて重力方向を表す画像を生成し、これを前記画像データによって表される画像の所定位置へ重畳することを特徴とする請求項７に記載の放射線撮影制御方法。
【請求項１０】
画像データを受信する受信工程と、
前記受信手段によって受信された画像データの付帯情報を読み出し、該付帯情報から撮影時の重力方向を表す重力情報を取得工程と、
前記取得手段で取得された重力情報を前記画像データとともに表示器に表示させる表示制御工程とを備えることを特徴とする画像表示方法。
【請求項１１】
前記表示制御工程は、前記取得工程で取得された重力情報に基づいて重力方向を表す画像を生成し、これを前記画像データとともに表示することを特徴とする請求項１０に記載の画像表示方法。
【請求項１２】
請求項７乃至１１のいずれかに記載の方法をコンピュータに実行させるための制御プログラム。
【請求項１３】
請求項１２に記載の制御プログラムを格納した記憶媒体。
【発明の詳細な説明】
【技術分野】
【０００１】
本発明は、放射線撮影技術及びその表示技術に関し、特に医療分野の放射線撮影に好適なものである。
【背景技術】
【０００２】
現在、医療分野においては、放射線撮影装置から得られる画像を利用して診断を行なう「画像診断」が活発に行なわれている。放射線撮影装置としては、単純Ｘ線装置、ＣＴ、ＭＲＩなどのさまざまな装置が開発、実用化されている。このような放射線撮影画像を用いた画像診断においては、腫瘍の有無、骨折の状態など物理的に目で見える情報のみならず、重力の方向が重要な意味を持つことがある。
【０００３】
たとえば、透視撮影を行なう際に造影剤を重力を利用して検査部位に付着させるために、寝台をさまざまな方向に傾けることが行なわれている。特許文献１では、このような撮影を行なう際に、透視画像の表示モニタを見ながら適切に造影剤を付着させることができるように、表示モニタに重力方向を表示するという方法が提案されている。
【特許文献１】特開平６−１６９９０７号公報
【発明の開示】
【発明が解決しようとする課題】
【０００４】
単純Ｘ線撮影で一般的に行なわれる撮影として、被験者が寝台に横になった状態で撮影する臥位撮影と、被験者が直立した状態で撮影する立位撮影がある。両者の画像を比較した場合、撮影部位が同じであっても臓器に対する荷重方向が異なるため、全く同じ画像が得られるとは限らない。また、重力のかかり具合によって、臓器の癒着状況が判別できることもあるため、撮影時の重力方向が診断上重要な意味を持っている。このことは単純Ｘ線撮影のみならず、一般のＣＴ装置と立位型ＣＴ装置の関係にも言えることである。
【０００５】
特許文献１に記載された方法は、造影剤を付着させやすくするために透視撮影中の重力方向をモニタに表示するのみであり、その撮影によって得られる画像に対しては重力方向は記録されない。さらに、寝台位置センサとカメラ位置センサによって重力方向を算出するため、寝台のない撮影、ＴＶカメラのない撮影においては利用することは出来ず、単純Ｘ線撮影装置のようにＸ線センサのみで撮影を行なう構成には適用できない。
【０００６】
以上のように従来提案されている方法では撮影装置によって得られた画像から重力方向を取得し、それを診断に有効活用することができない。
【０００７】
本発明は上記の課題に鑑みてなされたものであり、撮影画像を用いた診断において、撮影時の重力方向を判別可能にすることを目的とする。
【課題を解決するための手段】
【０００８】
上記の目的を達成するための本発明の一態様による放射線撮影システムは以下の構成を備える。すなわち、
放射線を照射する放射線発生手段と、
前記放射線発生手段により発生した放射線を検出し、電気信号に変換する放射線検出手段と、
前記放射線検出手段による放射線の検出時における、該放射線検出手段にかかる重力方向を検出する重力方向検出手段と、
前記放射線検出手段で得られた電気信号に基づいて画像データを生成する生成手段と、
前記生成手段で生成された画像データに、前記重力方向検出手段で検出された重力方向を示す重力情報を付加する付加手段とを備える。
【発明の効果】
【０００９】
本発明によれば、撮影画像を用いた診断において、撮影時の重力方向を容易に判別することが可能となる。
【発明を実施するための最良の形態】
【００１０】
以下、添付の図面を参照して本発明の好適な実施形態について説明する。
【００１１】
＜第１実施形態＞
図１は、第１実施形態による放射線撮影システムのハードウェア構成を説明する図である。本実施形態の放射線撮影システムは、放射線としてＸ線を用いてＸ線撮影を行う（以下、Ｘ線撮影システム１という）。１００はＸ線撮影の撮影対象である被写体を表している。システム制御部１０１は、Ｘ線撮影システム１の全体を制御する。操作卓１０２は、キーボード、マウス、ディスプレイ、曝射ボタンといったＸ線撮影における一般的な入出力装置を備える。オペレータは、操作卓１０２を用いて、撮影条件の設定や曝射の指示等、Ｘ線撮影システム制御部１０１に対して各種の指示を行なうことができる。Ｘ線発生装置制御部１０３は、Ｘ線発生部１０４を制御する。Ｘ線受像部１０５は、Ｘ線発生部１０４より照射され被写体１００を透過したＸ線を受光し、これを電気信号に変換して画像信号を生成する。
【００１２】
操作者は、被写体１００の撮影目的とする部位がＸ線受像部１０５で撮影されるように被写体１００とＸ線受像部１０５を配置し、操作卓１０２を用いて撮影部位設定等の撮影前の設定を行う。操作者が操作卓１０２の曝射ボタンを押すと、Ｘ線発生部１０４に対して曝射が指示され、Ｘ線発生部１０４からＸ線が照射される。Ｘ線受像部１０５は、Ｘ線発生部１０４から照射され、Ｘ線受像部１０５に到達したＸ線に基づいて画像信号を生成する。Ｘ線受像部１０５に到達したＸ線は、被写体１００を透過してきたＸ線（透過Ｘ線）を含み、透過Ｘ線を画像化することによりＸ線撮影画像が生成される。
【００１３】
Ｘ線受像部１０５はＸ線を受けて、Ｘ線量に応じた電気信号（画像信号）を発生する固体撮像素子１０５１、およびＸ線受像部１０５に対する重力の荷重方向を検出する重力方向検出部１０５０を具備する。重力方向検出部１０５０としては、例えば加速度センサが用いられる。固体撮像素子１０５１により取得された画像信号と重力方向検出部１０５０により取得された重力情報は、Ｘ線システム制御部１０１の信号読取制御部１０１０へ転送される。信号読取制御部１０１０はＣＰＵ１０１６により管理されている。ＣＰＵ１０１６には、不揮発性記憶装置１０１１、ＲＡＭ１０１２、ＲＯＭ１０１３、ＬＡＮインターフェース（ＬＡＮ／ＩＦ）１０１４、ディスクインターフェース（ＤＩＳＫ／ＩＦ）１０１５がシステムバス１０１７により接続されている。なお、本実施形態では、ＬＡＮ／ＩＦ１０１４を介して図６等により後述する画像表示装置が接続されている。また、不揮発性記憶装置１０１１としては、例えばハードディスクが用いられる。信号読取制御部１０１０に入力された画像信号は重力情報とともに一旦ＲＡＭ１０１２に記憶される。ＲＡＭ１０１２に記憶された画像信号や重力情報は、ＣＰＵ１０１６によって様々な処理が施された後、最終的な診断用画像に形成される。
【００１４】
次にＸ線受像部１０５の重力方向に対する傾きの検出に関して図２を用いて説明する。図２はＸ線受像部１０５の重力方向を検出する際の基準となる軸方向を規定したものである。２００はＸ線センサを表しておりＸ線受像部１０５そのものである。図２（Ａ）において規定される軸方向とは重力方向を検出するために使用される重力方向検出部１０５０の出力値の基準とする軸方向である。図２（Ａ）によれば、Ｘ線センサ２００の受像面（固体撮像素子１０５１の受像面）をＸＹ平面と一致させ、受像面の法線方向をＺ軸としている。重力方向検出部１０５０には、傾きセンサや重力センサを用いることができる。本実施形態においては重力方向検出部１０５０として一般的な３軸加速度センサを使用するものとする。３軸加速度センサは、図２において規定されているＸ、Ｙ、Ｚ軸に対するそれぞれの加速度を検出し、その値を重力方向情報とする。たとえば図２（Ｂ）で示されるようにＸ線センサ２００が配置されている場合、２０１で示されるように１［Ｇ］の重力がかかっている。そのため、Ｘ軸方向の加速度値は０、Ｙ軸方向の加速度は、１［Ｇ］×sinθ（図２の２０２）、Ｚ軸方向の加速度は、１［Ｇ］×cosθ（２０３）が検出される。このようにして得られた重力情報は固体撮像素子１０５１によって得られた画像信号とともにＸ線撮影システム制御部１０１の信号読取制御部１０１０へと転送される。
【００１５】
なお、本実施形態においては簡単のためＸ線センサ２００の基準Ｘ軸が重力方向に対して直交するようにＸ線センサを傾けた例を示したが、重力方向が全ての軸に対して傾いていても同じように重力情報を取得できることは言うまでもない。また、図２において規定した基準軸はこれに限られるものではなく、ある方向に対して基準軸を規定できるものであればいかなる基準軸を用いても構わない。
【００１６】
次にＸ線撮影を行なう際のＸ線受像部１０５において行なわれる処理について図３を用いて説明する。図３は本Ｘ線撮影システム１においてＸ線撮影を行なう際のＸ線受像部１０５の動作を説明するフローチャートである。Ｘ線受像部１０５は、固体撮像素子１０５１を用いて透過Ｘ線に基づく画像信号を取得するとともに、重力方向検出部１０５０を用いて重力方向を検出する。
【００１７】
まず、ステップＳ３００において、Ｘ線受像部１０５は、Ｘ線を受けるための待機状態となる。この状態でＸ線受像部１０５は、固体撮像素子１０５１がＸ線を受光して画像化できる状態であることを駆動通知信号によりＸ線撮影システム制御部１０１に通知する。一方、Ｘ線撮影システム制御部１０１は、操作卓１０２の曝射ボタンの押下（曝射指示）を検出すると、固体撮像素子１０５１の駆動通知信号によってＸ線受像部１０５がＸ線を受光し画像化することが可能な状態であるか否かを確認する。駆動通知信号により確認が取れたならば、Ｘ線撮影システム制御部１０１はＸ線発生装置制御部１０３に曝射信号を送る。曝射信号を受けたＸ線発生装置制御部１０３は、Ｘ線発生部１０４を駆動して、Ｘ線の照射を開始させる。
【００１８】
上記曝射信号はＸ線受像部１０５にも送信される。ステップＳ３０１において、Ｘ線受像部１０５はこの曝射信号を受信すると、固体撮像素子１０５１による透過Ｘ線の読取を開始する。ステップＳ３０２では、固体撮像素子１０５１において透過Ｘ線情報を読み取り画像信号を得る。ステップＳ３０３では重力方向検出部１０５０により、Ｘ線センサ２００の各基準軸に対する加速度値を検出し、これに基づいて重力情報を生成する。この重力方向の検出は、撮影時のＸ線センサ２００の重力方向を検出すればよく、ステップＳ３０２によるＸ線情報の読み取りの直前、直後、或いは読み取り中の何れのタイミングでもよい。そして、ステップＳ３０４において、ステップＳ３０２で取得した画像信号およびステップＳ３０３で生成した重力情報をＸ線撮影システム制御部１０１の信号読取制御部１０１０へ転送して処理を終了する。
【００１９】
次に、Ｘ線撮影システム制御部１０１がＸ線受像部１０５から送信された画像信号および重力情報から診断用の画像を形成するまでの処理を図４のフローチャートを参照して説明する。
【００２０】
ステップＳ４００において、信号読取制御部１０１０は、Ｘ線受像部１０５によって取得された画像信号を読み取る。ステップＳ４００によって画像信号が読み込まれた後、信号読取制御部１０１０はステップＳ４０１において重力情報をＸ線受像部１０５から読み取る。なお、ステップＳ４００およびステップＳ４０１は画像信号および重力情報を読み取るステップであるため、どちらの処理を先に行なってもよいことはいうまでもない。
【００２１】
次にステップＳ４０２において、ステップＳ４００の画像信号読取ステップにおいて読み取られた画像に対して階調変換、ノイズ除去、鮮鋭化処理等を行う。これらの画像処理は、Ｘ線撮影において一般的に施される処理であり、詳細な説明は省略する。ステップＳ４０３では、画像に付与する付帯情報を生成する。本実施形態では、患者情報や検査情報などの情報が付帯情報として作成されるほか、前述のステップＳ４０１で読み取られた重力情報も付帯情報の一部として作成されることが重要である。ステップＳ４０４では、ステップＳ４０２で作成された画像処理後の画像信号とステップＳ４０３において生成された付帯情報とを用いて最終的な診断用画像を生成する。なお、ステップＳ４０４において生成される画像は医療用画像の規格であるＤＩＣＯＭ（Digital Imaging and Communications in Medicine）と呼ばれるフォーマットに基づいたものであることが望ましい。
【００２２】
図５に診断用画像のデータ構成例を示す。本実施形態の診断用画像５００はヘッダ部５０１と画像データ部５０２からなる。ヘッダ部５０１には、画像データ部５０２のサイズ等の記述に加えて、上述した付帯情報５０３が記述されており、付帯情報５０３には重力情報５０４が含まれる。画像データ部５０２にはステップＳ４０２によって画像処理された画像データが記録される。
【００２３】
以上のようにして得られた診断用画像５００はＸ線撮影システム制御部１０１に対してネットワーク接続された情報端末または画像サーバに転送されるか、直接ＭＯやＤＶＤ−ＲＡＭ、ＣＤ−ＲＯＭなどの可搬媒体に出力される。
【００２４】
次に、上記Ｘ線撮影システム１によって得られた画像データを表示する画像表示装置及びその処理について説明する。図６は上記Ｘ線撮影システム１によって作成された画像データを表示する画像表示装置６のハードウェア構成図である。なお、本実施形態では、Ｘ線撮影システム１のＸ線撮影システム制御部１０１と画像表示装置６とをネットワークで接続された別々の構成としたが、これらを一体化してたものとしてもよい。例えば、Ｘ線撮影システム制御部１０１画像表示装置６の構成や機能を含んでもよい。
【００２５】
画像表示装置６は、制御部６００、入力部６０１、表示部６０２を具備する。制御部６００は、一般的な情報端末の構成を備える。例えば、制御部６００は、ハードディスク等の不揮発性記憶装置６０００、ＲＡＭ６００１、ＲＯＭ６００２、ＬＡＮ／ＩＦ６００３、ＤＩＳＫ／ＩＦ６００４を備え、これらがシステムバス６００６を介してＣＰＵ６００５に接続された構成となっている。入力部６０１は制御部６００に対して操作者が指示をするための入力装置を備える。入力装置としては、たとえばマウス、キーボードなどが挙げられる。表示部６０２は例えばＣＲＴ、液晶ディスプレイ等の表示モニタである。以上のような画像表示装置６によって上述した診断用画像５００が表示される。
【００２６】
図７はＸ線画像表示装置６の機能構成を示すブロック図である。画像受信部７００は、Ｘ線撮影システム制御部１０１からネットワークを介して転送されてきた診断用画像５００を受信、或いは可搬記憶媒体に書き込まれている診断用画像５００を読み取ることにより、診断用画像５００を制御部６００へ取り込む。なお、ネットワークを介して転送された画像データはＬＡＮ／ＩＦ６００３により受信する。また、可搬記憶媒体に書き込まれている画像データはＤＩＳＫ／ＩＦ６００４により読み取られる。画像保存部７０１は、画像受信部７００によって取り込まれた画像データを例えば不揮発性記憶装置６０００に保存する。付帯情報読取部７０２は、画像保存部７０１に保存されている画像データの付帯情報５０３を読み取る。また、重力情報読取部７０３は付帯情報読取部７０２によって取得された付帯情報５０３から重力情報５０４を読み出す。重力表示情報作成部７０４は、重力情報読取部７０３によって読み取られた重力情報５０４を操作者に分かりやすい表示形態とする処理を行なう。画像表示部７０５は、画像データおよび重力情報を含めた画像の付帯情報を表示部６０２に表示する。なお上述の各機能は、不揮発性記憶装置６０００に格納されたプログラムをＣＰＵ６００５が実行することにより実現される。
【００２７】
図８は画像表示装置６が診断用画像５００を受信してから画像を表示するまでの処理を示すフローチャートである。ステップＳ８００において、Ｘ線表示装置の画像受信部７００は診断用画像５００を取得し画像保存部７０１に保存する。なお、そのような画像データの取得は、上述のように、外部ネットワーク上を転送されて来た画像データをＬＡＮ／ＩＦ６００４を介して受信する、または可搬記憶媒体に書き込まれた画像データをＤＩＳＫ／ＩＦ６００４を介して読み込むことによりなされる。
【００２８】
次にステップＳ８０１において、付帯情報読取部７０２が画像保存部７０１に保存されている診断用画像５００の付帯情報５０３を読み取る。続いてステップＳ８０２においては、ステップＳ８０１において読み取られた付帯情報５０３に重力情報５０４が存在するか否かを確認し、存在していればステップＳ８０３へ移り、存在していなければステップＳ８０５へ移る。ステップＳ８０３においては、重力情報読取部７０３がステップＳ８０１にて読み取られた付帯情報５０３の中から重力情報５０４を読み出す。ステップＳ８０４において、重力表示情報作成部７０４は、ステップＳ８０３にて読み出された重力情報５０４を操作者に対して分かりやすい表示形態へ変換する。ステップＳ８０５では画像データを画像表示部７００へ表示するとともにステップＳ８０４で作成されたオーバーレイ情報も表示する。
【００２９】
図９は本画像表示装置６による画像表示例を示す図である。９００は上記Ｘ線撮影システム１において撮影された画像データである。９０１は画像データ９００の付帯情報として読み込まれた重力情報５０４を表示した付帯情報表示部である。図９においてはＸ軸方向に0.631Ｇ、Ｙ軸方向に0.707Ｇ、Ｚ軸方向に0.316Ｇの荷重がかかっていたことを表している。更に図９の表示例では、これらの値からどの方向に重力がかかっているかをより直感的に理解できるように、直方体を利用した図が表示されている。ここに示されているＸ、Ｙ、Ｚは図２（Ａ）において定義した基準軸を示しており、各基準軸に対して得られた重力加速度値の比が直方体の各辺の比と一致するように表示されている。つまり、前述した例においては直方体の各辺の長さの比はＸ：Ｙ：Ｚ＝0.631：0.707：0.316となる。そして、重力方向は座標（０，０，０）から（0.631, 0.707, 0.316）を結んだ矢印となる。前述したように、ＸＹ平面が撮像面と一致するので、矢印により画像に対する重力方向を直感的に把握することができる。なお、本実施形態においては、重力方向を示すために画像データの右側に直方体を表示する方法を示したが、重力方向を把握できる表示方法であれば表示場所、表示方法は問わないことは言うまでもない。なお、付帯情報表示部９０１の表示、非表示を切り替え可能としてもよい。
【００３０】
以上述べたように、本実施形態のＸ線撮影システム１および画像表示装置６によれば撮影時のＸ線センサに作用する重力の状態を画像データに付帯情報として付与することができ、これを観察者が把握しやすいように表示する。このたため、画像データのみから、撮影時の被写体に対する荷重の状態を知ることが可能となる。
【００３１】
＜第２実施形態＞
第１実施形態においては、重力方向検出部１０５０において検出された重力情報を画像の付帯情報として書き込む例（図４のＳ４０３、Ｓ４０４）を示したが、画像データそのものとして画像に書き込むことも可能である。すなわち、ステップＳ４０４において、重力情報については、これを画像化し、ステップＳ４０２で画像処理済となった画像データに、画像化した重力情報をオーバーレイ処理して診断用画像とする。この場合ステップＳ４０３における重力情報の付帯情報としての記述は不要となる。
【００３２】
図１０は重力情報を画像に直接書き込んだ場合に得られる画像の一表示例を示したものである。１０００は本Ｘ線撮影システム１によって取得されたＸ線画像を示している。１００１はＸ線画像１０００を撮影する際にＸ線センサに対してどのような方向に重力がかかっていたかを示すためにＸ線画像１０００に対してオーバーレイされた重力方向表示部である。この部分のＸ，Ｙ，Ｚは図２Ａにおいて定義した基準軸を示しており、各基準軸に対して得られた重力加速度値の比が直方体の各辺の比と一致するように表示されている。例えば、重力方向検出部において検出されたＸ軸方向の加速度値が0.632G、Ｙ軸方向の加速度値が0.707G、Ｚ軸方向の加速度値が0.316Gであったとする。この場合、重力方向表示部１００１において表示される直方体の各辺の長さの比もＸ：Ｙ：Ｚ＝0.631：0.707：0.316となる。なお、第２実施形態においては、重力方向を示すために直方体を表示する方法を示したが、重力方向を把握できる表示方法であればいかなる表示方法でも構わない。
【００３３】
第２実施形態の場合、図５に示した診断用画像５００から重力情報５０４の記述を省略することができる。また、画像表示装置に第１実施形態で説明したような重力情報の表示機能を設ける必要がなくなる。
【００３４】
また、第２実施形態において、重力情報のオーバーレイ位置をユーザが指定可能としてもよい。例えば、画像の左下（図１０）、左上、右下、右上等を操作卓１０２を介して指定可能とする。そして、上述のステップＳ４０４における重力情報のオーバーレイ処理において、操作卓１０２を介して指定された位置へ画像化された重力情報を書き込む。
【００３５】
以上説明したように、上記各実施形態によれば、撮影時のＸ線センサに対する重力方向が付帯情報として、或いは画像として撮影画像に付与される。従って、読影者は画像を参照するのみで撮影時の被写体に対する荷重の状態を知ることができ、臓器の状態などの目で見える診断情報と荷重状態情報によって、より高度な診断を行なうこと可能となる。
【図面の簡単な説明】
【００３６】
【図１】実施形態に係るＸ線撮影システムハードウェア構成図である。
【図２】実施形態に係るＸ線センサに対する重力方向を検出するための基準軸を示した一例である。
【図３】実施形態に係るＸ線撮影時のＸ線受像部が行なう一連の処理を示したフローチャートである。
【図４】実施形態に係るＸ線受像部で取得された画像信号と重力情報から診断用画像を形成するまでの処理を示したフローチャートである。
【図５】第１実施形態による診断用画像のデータ構成例を示す図である。
【図６】実施形態に係る画像表示装置のハードウェア構成図である。
【図７】実施形態に係る画像表示装置の機能構成を示したブロック図である。
【図８】実施形態に係る画像表示装置のフローチャートである。
【図９】実施形態に係る画像表示装置の画像表示例を示した図である。
【図１０】第２実施形態に係るオーバーレイ情報として重力情報が書き込まれている画像データを説明する図である。
【図１】
2007037837.tif 000003
【図２】
2007037837.tif 000004
【図３】
2007037837.tif 000005
【図４】
2007037837.tif 000006
【図５】
2007037837.tif 000007
【図６】
2007037837.tif 000008
【図７】
2007037837.tif 000009
【図８】
2007037837.tif 000010
【図９】
2007037837.tif 000011
【図１０】
2007037837.tif 000012